(57)【要約】【課題】      上部のリング状の連結部に対して下部の仕掛取付部が交差部で交差した後、前後にすれ違い状になって下部の仕掛け取り付け部の間隙を開いても閉じるようにした釣り用連結具を提供することである。【解決手段】  釣り用連結具１は、金属線材２の中央側２ａを折り返して金属線材２の一端側２ｃが前方側に、他端側２ｂが後方側に配された交差部Ａを設けて交差部Ａより上側にリング状の連結部Ｂを形成し、金属線材２の一端側２ｃと他端側２ｂを対向方向に屈曲してその先に夫々脚部２ｅと脚部２ｄを設け、脚部２ｅと脚部２ｄに夫々横向きの脚部２ｇ、脚部２ｆを延長形成し、金属線材２の一端側２ｃの延長脚部２ｇが後方側に、他端側２ｂの延長脚部２ｆが前方側になるようにすれ違い状にした仕掛け取り付け部Ｃを設ける。【選択図】        図４
2008228636.tif 000002
【特許請求の範囲】
【請求項１】
金属線材の中央側を折り返して金属線材の一端側が前方側に、他端側が後方側に配された交差部を設けてリング状の連結部を形成し、前記金属線材の前記一端側と前記他端側を対向方向に屈曲して、前記金属線材の前記一端側が後方側に、前記他端側が前方側になるようにすれ違い状にした仕掛け取り付け部を設けたことを特徴とする釣り用連結具。
【発明の詳細な説明】
【技術分野】
【０００１】
本発明は、魚釣りに用いる釣り用連結具に関する。
【背景技術】
【０００２】
道糸に疑似餌や釣針を取り付けるとき、道糸に連結具を介して取り付けられていた。
連結具として例えば技術文献１のような鋼線やプラスチック線を８字状に曲げて上部のリング部と下部のリング部は途中で交差して下部のリング部は、前側のリング部と後側のリング部が前後に重ね合わされている。
このような連結具では、上部のリング部に対して交差して下部に延びる線材は交差部で前側の線材はそのまま下部の前側のリング部となり、交差部で後側の線材はそのまま下部の後側のリング部となっている。
従って、下部の前側のリング部と下部の後側のリング部の間の間隙が前後に開かれると、交差部も併せて前後に開くことになって間隙を詰めようとしても詰め難くなる欠点がある。
【特許文献１】特開平１０−２７６６４０
【発明の開示】
【発明が解決しようとする課題】
【０００３】
解決しようとする問題点は、下部の前側のリング部と下部の後側のリング部の間の間隙が前後に開かれると、交差部も併せて前後に開くことになって間隙を詰めようとしても詰め難くなることである。
【０００４】
本発明の目的は前記欠点に鑑み、上部のリング状の連結部に対して下部の仕掛取付部が交差部で交差した後、前後にすれ違い状になって下部の仕掛け取り付け部の間隙を開いても閉じるようにした釣り用連結具を提供することである。
【課題を解決するための手段】
【０００５】
本発明の請求項１は、金属線材の中央側を折り返して金属線材の一端側が前方側に、他端側が後方側に配された交差部を設けてリング状の連結部を形成し、前記金属線材の前記一端側と前記他端側を対向方向に屈曲して、前記金属線材の前記一端側が後方側に、前記他端側が前方側になるようにすれ違い状にした仕掛け取り付け部を設けたことを要旨とするものである。
【発明の効果】
【０００６】
本発明により、釣り用連結具１は、交差部で金属線材の一端側が前方側に、他端側が後方側に配されて、仕掛け取り付け部では金属線材の一端側に連なる延長脚部が後方側にあって、金属線材の他端側に連なる延長脚部は前方側にあるので間隙を開く力を除くと容易に間隙は閉じることになり、間隙が開いた状態となることが防止される。
【発明を実施するための最良の形態】
【０００７】
釣り用連結具１は、金属線材２の中央側２ａを折り返して金属線材２の一端側２ｃが前方側に、他端側２ｂが後方側に配された交差部Ａを設けて交差部Ａより上側にリング状の連結部Ｂを形成し、金属線材２の一端側２ｃと他端側２ｂを対向方向に屈曲してその先に夫々脚部２ｅと脚部２ｄを設け、脚部２ｅと脚部２ｄに夫々横向きの脚部２ｇ、脚部２ｆを延長形成し、金属線材２の一端側２ｃの延長脚部２ｇが後方側に、他端側２ｂの延長脚部２ｆが前方側になるようにすれ違い状にした仕掛け取り付け部Ｃを設ける。
【実施例１】
【０００８】
以下、図示の実施例によって本発明を説明すると、図１から図４は第１実施例で図１は道糸に複数の釣り用ビ−スが通されて釣糸と釣り用連結具で疑似餌が取り付けられた側面図、図２は釣り用連結具に疑似餌が取り付けられた拡大要部断面側面図、図３は釣り用連結具の一部と疑似餌の断面平面図、図４は釣り用連結具の斜視図である。
【０００９】
釣り用連結具１は、図１から図３で、図２の疑似餌３に取り付けられた釣り用連結具１の紙面の後方（背面側）を後方側、紙面の前方（正面側）を前方側として述べると、金属線材２の中央側２ａを折り返して金属線材２の一端側２ｃが前方側に、他端側２ｂが後方側に配された交差部Ａを設けて交差部Ａより上側にリング状の連結部Ｂを形成し、金属線材２の一端側２ｃと他端側２ｂを対向方向（内側方向）に屈曲してその先に夫々脚部２ｅと脚部２ｄを設け、脚部２ｅと脚部２ｄに夫々横向きの脚部２ｇ、脚部２ｆを延長形成し、金属線材２の一端側２ｃの延長脚部２ｇが後方側に、他端側２ｂの延長脚部２ｆが前方側になるようにすれ違い状にした仕掛け取り付け部Ｃを設ける。
釣り用連結具１の仕掛け取り付け部Ｃの延長脚部２ｇと延長脚部２ｆの間隙を開くと、交差部Ａで延長脚部２ｇに連なる金属線材２の一端側２ｃが前方側にあり、延長脚部２ｇは後方側にあって、交差部Ａで延長脚部２ｆに連なる金属線材２の他端側２ｂが後方側にあって延長脚部２ｆは前方側にあるので交差部Ａにて一端側２ｃと他端側２ｂが互いに当接し、間隙を開く力を除くと容易に間隙は閉じることになる。
またこれにより交差部Ａが開いてしまいリング状の連結部Ｂが破損することが防止される。
【００１０】
釣り用連結具１が疑似餌３に取り付けられるときは、疑似餌３の一側の横孔３ａに仕掛け取り付け部Ｃの延長脚部２ｇと延長脚部２ｆが横孔３ａの両側から夫々通される。
疑似餌３の他側にはイカ針４が固定されている。
釣り用連結具１の連結部Ｂには釣糸５が取り付けられる。
図１では道糸６に複数のビ−ズ７が通され、ビ−ズ７に釣糸５が通されて釣糸５に連結部Ｂが取り付けられている。
【００１１】
前記のように釣り用連結具１が構成されると、交差部Ａで金属線材２の一端側２ｃが前方側に、他端側２ｂが後方側に配されて、仕掛け取り付け部Ｃでは金属線材２の一端側２ｃに連なる延長脚部２ｇが後方側にあって、金属線材２の他端側２ｂに連なる延長脚部２ｆは前方側にあるので間隙を開く力を除くと容易に間隙は閉じることになり、間隙が開いた状態となることがない。
【実施例２】
【００１２】
図５は第２実施例で、図５は釣り用連結具に疑似餌と釣針が取り付けられた斜視図である。
【００１３】
第２実施例の釣り用連結具１は、金属線材２の中央側２ａを折り返して金属線材２の一端側２ｃが前方側に、他端側２ｂが後方側に配された交差部Ａを設けて交差部Ａより上側にリング状の連結部Ｂを形成し、金属線材２の一端側２ｃと他端側２ｂを対向方向に湾曲してその先に夫々湾曲脚部２ｉと湾曲脚部２ｈからなる仕掛け取り付け部Ｃを設け、金属線材２の一端側２ｃの延長である湾曲脚部２ｉが後方側に、他端側２ｂの延長である湾曲脚部２ｈが前方側になるようにすれ違い状に形成されている。
釣り用連結具１の仕掛け取り付け部Ｃの湾曲脚部２ｈと湾曲脚部２ｉの間隙を開くと、交差部Ａで湾曲脚部２ｉに連なる金属線材２の一端側２ｃが前方側にあり、湾曲脚部２ｉは後方側にあって、交差部Ａで湾曲脚部２ｈに連なる金属線材２の他端側２ｂが後方側にあって湾曲脚部２ｈは前方側にあるので交差部Ａにて一端側２ｃと他端側２ｂが互いに当接し、間隙を開く力を除くと容易に間隙は閉じることになる。
またこれにより交差部Ａが開いてしまいリング状の連結部Ｂが破損することが防止される。
他の構成は前記第１実施例と略同一である。
【００１４】
第２実施例の釣り用連結具１には、疑似餌８と釣針９が取り付けられて疑似餌８に道糸６が取り付けられている。
【産業上の利用可能性】
【００１５】
本発明は釣り用連結具の全般に利用できる。
【図面の簡単な説明】
【００１６】
【図１】第１実施例で、道糸に複数の釣り用ビ−スが通されて釣糸と釣り用連結具で疑似餌が取り付けられた側面図である。
【図２】同釣り用連結具に疑似餌が取り付けられた拡大要部断面側面図である。
【図３】同釣り用連結具の一部と疑似餌の断面平面図である。
【図４】同釣り用連結具の斜視図である。
【図５】第２実施例で、釣り用連結具に疑似餌と釣針が取り付けられた斜視図である。
【符号の説明】
【００１７】
１  釣り用連結具
２  金属線材
２ａ  中央側
２ｂ  他端側
２ｃ  一端側
Ａ  交差部
Ｂ  連結部
Ｃ  仕掛け取り付け部
【図１】
2008228636.tif 000003
【図２】
2008228636.tif 000004
【図３】
2008228636.tif 000005
【図４】
2008228636.tif 000006
【図５】
2008228636.tif 000007